(57)【要約】【課題】  鋸胴の紙押えにおいて、加圧方向への大きな変形ストロークを得、且つ、良好な反発性及び復元性を長期間維持し得るようにする。【解決手段】  輪転機における折機の鋸装置10は、鋸胴20に設けられ、鋸刃11とその鋸刃の両側に配された一対の紙押え12,12'とを備え、鋸胴とその鋸胴に接近対向する折胴30との間に案内された連続印刷紙Ｗを一対の紙押えで折胴周面に押えるとともに、一対の紙押えで押えた中間部の連続印刷紙を前記鋸刃で切断するのであり、紙押えは、軟質弾性材から成り、紙押えの刃先側端面部に長手方向の１条以上の溝60,60'が形成されることにより２条以上の凸状ブロック70,70',71,71'が形成されている。凸状ブロックには、横断する１箇所以上の溝部が設けられ、凸状ブロックは、長手方向で非連続であってもよい。【選択図】  図１
2007050970.tif 000002
【特許請求の範囲】
【請求項１】
輪転機の折機の鋸胴に設けられ、鋸刃とその鋸刃の両側に配された一対の紙押えとを備え、前記鋸胴とその鋸胴に接近対向する折胴との間に案内された連続印刷紙を前記一対の紙押えで前記折胴周面に押えるとともに、前記一対の紙押えで押えた中間部の連続印刷紙を前記鋸刃で切断する折機の鋸装置において、
前記紙押えは、それぞれ軟質弾性材から成り、紙押えの刃先側端面部に長手方向の少なくとも１条の溝が形成されることにより少なくとも２条の凸状ブロックが形成されている輪転機における折機の鋸装置。
【請求項２】
凸状ブロックには、少なくとも１箇所に横断する方向の溝部が設けられ、前記凸状ブロックが長手方向で非連続である請求項１に記載の輪転機における折機の鋸装置。
【発明の詳細な説明】
【技術分野】
【０００１】
この発明は、輪転機における折機の鋸胴に設けられた鋸装置に関するものである。
【背景技術】
【０００２】
一般的な折機５０は、図７に例示されているように、平行に対向して対となって互いに反対方向に回転駆動される鋸胴２０と折胴３０、及び同じく平行に対向して対となって互いに反対方向に回転駆動される折下ドラッグローラー４０、４０’から構成され、折機５０の上流側にはフォーマーＦＭ、下流側には羽根車装置ＤＦ、搬送装置ＣＶが配備されている。
【０００３】
図６に示すように、鋸胴２０には、鋸装置１０が設けられ、折胴３０の外周面には、その回転方向において針３１，３１’の近傍先行側の鋸刃受３２、３２’と折ブレード３３、３３’とが略９０度の間隔で交互に設けられており、鋸胴２０と折胴３０とは、鋸装置１０と鋸刃受３２、３２’とが対向して接するような速度関係・位相関係で互いに対向して反対方向に回転している。
【０００４】
印刷装置で印刷されて走行する連続印刷紙Ｗは、フォーマーＦＭ上で徐徐に紙幅の中央において走行方向に沿って縦折りされた後、鋸胴２０と折胴３０との間に送り込まれる。
連続印刷紙Ｗの先行端が鋸胴２０と折胴３０の対向位置から折胴３０の外周面に略１８０度巻き込まれた図６に示す状態になると、連続印刷紙Ｗは、連続印刷紙Ｗの先行端から針３１（３１’）が抜け、略同時に他端が鋸装置１０と鋸刃受３２（３２’）により、次の針３１’（３１）が突き刺さっている位置の近傍の先行側を幅方向に切断され、連続印刷紙Ｗは断裁印刷紙Ｗ１となってフリーの状態になり、更に折ブレード３３（３３’）により、折胴３０の下方に配置され断裁印刷紙Ｗ１を引込む方向に互いに逆方向に回転する一対の折下ドラッグローラー４０、４０’間に断裁印刷紙Ｗ１の略中央部が差し込まれる。
【０００５】
そして、断裁印刷紙Ｗ１は、折下ドラッグローラー４０、４０’の回転力により折下ドラッグローラー４０、４０’間に引込まれ、断裁印刷紙Ｗ１の幅方向に沿って折り畳まれて折帳Ｗ２となって下方に送り出され、更に、下流の羽根車装置ＤＦ、搬送装置ＣＶに送り出される。尚、上記文中の括弧内符号は後続の連続印刷紙Ｗ及び断裁印刷紙Ｗ１に作用する針、鋸刃受、折ブレードを示す。
【０００６】
従来技術の輪転機における折機の鋸装置としては、例えば特許文献１（実公昭３９−２８０５９号公報）及び特許文献２（実開昭５３−１２０１７号全文明細書）に示されるものがある。
前記２つの特許文献に示されものは、前記の鋸装置と鋸刃受との間での連続印刷紙の切断時に、鋸装置の紙押えが、連続印刷紙を介して折胴への接触圧で連続印刷紙を押え、切断を容易にさせている。
【０００７】
前記実公昭３９−２８０５９号公報に示された紙押えは、ゴム又は合成樹脂製の軟質弾性材より形成され、スペースを紙押えの横方向の両側面側に有する状態で鋸胴に取り付けられており、紙押えが連続印刷紙切断時に連続印刷紙を折胴に押える力の反力で加圧された時、紙押えに作用する前記反力を弾性部材の変形歪みに変換して、その変形歪みを前記スペースに逃す。
【０００８】
ところで、前記紙押えの横方向において、折胴と先に接触する側を先行部、他を後行部と呼称し、また、前記紙押えの横方向と直角と成す方向において、鋸刃の刃先側を刃先側端面部と呼称すると、連続印刷紙を折胴に押付ける前記特許文献１に示された紙押えの刃先側端面部の変形歪みは、鋸胴の回転に伴って、先行部から後行部に順に加圧されて生じるもので、先行部より後行部の方が多く生じる。
【０００９】
他方、前記実開昭５３−１２０１７号全文明細書に示された紙押えは、内部に気泡を形成した軟質弾性材フォーム材で形成され、これに圧縮性を持たせたものである。
【特許文献１】実公昭３９−２８０５９号公報
【特許文献２】実開昭５３−１２０１７号全文明細書
【発明の開示】
【発明が解決しようとする課題】
【００１０】
前記実公昭３９一２８０５９号公報に示された紙押えは、刃先側端面部の先行部から後行部までが長く且つ連続しているので、先行部側の変形歪みを前記紙押えの横方向の後行部側側面のスペースに逃すことができず、前記紙押えの横方向の先行部側面側のスペースのみに逃す場合が生じ、そのため、紙押えの加圧方向の変形ストロークが小さくなり、切断可能な頁数が制限され、切断する頁数が多いときには、鋸胴と折胴との間隙を調整する必要がある。
【００１１】
他方、前記実開昭５３−１２０１７号全文明細書に示される紙押えは、加圧方向の変形ストロークを大きくするべく、軟質弾性材フォーム材内部の気泡により大きな圧縮性を持たせ、切断する頁数が多いときでも鋸胴と折胴との間隙を調整する必要が生じないようにしている。
【００１２】
しかし、軟質弾性材フォーム材は、製作過程で、気泡の大きさを小さく且つ均一に形成することが出来ず、各気泡間の膜厚も均一にすることが出来ない。このため、連続印刷紙の切断時に鋸装置と鋸刃受との間に連続印刷紙を押さえる力の反力によって圧縮され、軟質弾性材フォーム材の気泡間の膜厚の薄いものが破れ、隣合う気泡が連通されることとなり、最近の輪転機の高速化に伴い、圧縮の繰返しが増加した状況では短時間の内に気泡の連通が生じ、更に気泡が拡大する。
【００１３】
それ故、圧縮に対する反発性及び復元性が急激に低下する現象が生じ、連続印刷紙の切断時の紙押えによる連続印刷紙を押さえる力が弱くなり、連続印刷紙の切断不良が短期間の内で生じる。そのため、紙押えを頻繁に交換する必要性が生じ、ランニングコストの増加及び機械停止時間の増大による作業性の悪化をもたらす。
【００１４】
この発明の解決する課題は、これらの問題を解消することであり、この発明の紙押えは、内部に気泡の存在しない軟質弾性材を用い、加圧により生じる変形歪みを速やかに逃すスペースを有する形状にして、加圧方向への大きな変形ストロークを得、且つ、良好な反発性及び復元性を長期間維持し得るようにしたものである。
【課題を解決するための手段】
【００１５】
この発明の輪転機における折機の鋸装置は、折機の鋸胴に設けられ、鋸刃とその鋸刃の両側に配された一対の紙押えとを備え、鋸胴とその鋸胴に接近対向する折胴との間に案内された連続印刷紙を一対の紙押えで折胴周面に押えるとともに、一対の紙押えで押えた中間部の連続印刷紙を前記鋸刃で切断するのであり、紙押えは、軟質弾性材から成り、紙押えの刃先側端面部に長手方向の１条以上の溝が形成されることにより２条以上の凸状ブロックが形成されている。
そして、凸状ブロックには、１箇所以上に横断する方向の溝部が設けられ、凸状ブロックは、長手方向で非連続であってもよい。
【００１６】
輪転機が稼動して折機の鋸胴及び折胴が対向回転をすると、連続印刷紙は、鋸装置と鋸刃受により、幅方向に鋸刃で切断され断裁印刷紙が形成される。その際、鋸胴外周よりも突き出た状態で取り付けられている鋸装置の紙押えは、折胴と対向する位置で連続印刷紙を折胴に押し付け、紙押えの連続印刷紙を押える力の反力は、紙押えの各凸状ブロックを加圧し、これに伴って凸状ブロックに変形歪みが生じる。紙押えは、折胴と対向する位置から離れる時は紙押えの各凸状ブロックを元の状態に復元する。
【００１７】
鋸胴が回転し、凸状ブロックが順次加圧変形されるが、それぞれの変形歪みは長手方向よりも横方向の方が多く生じるので、各凸状ブロックに生ずる変形歪みは速やかに溝に逃され、連続印刷紙を押える力が除かれると、紙押えに作用する反力が消滅し、紙押えの形状が速やかに復元される。
【発明の効果】
【００１８】
輪転機の稼動での折機の鋸胴と折胴との回転中、鋸装置と鋸刃受との連続印刷紙を介しての接触前後の紙押えの変形、復元において、鋸装置の紙押えが連続印刷紙を鋸刃受に押える力の反力は、紙押えの軟質弾性材を加圧し、これに伴って軟質弾性材に変形歪みが生ずる。紙押えの加圧変形での変形歪みは長手方向よりも横方向の方が多く生じる。
【００１９】
この発明の鋸装置の紙押えにおいては、紙押えの刃先側端面部に長手方向の溝が形成されて、紙押えが複数条の小さな凸状ブロックになっているので、各凸状ブロックに生ずる変形歪みは速やかに溝に逃される。
そのため、連続印刷紙の切断時に必要とする紙押えの加圧に対する変形ストロークと反発力が得られ、更に、連続印刷紙を押える力が除かれると、紙押えに作用する反力が消滅し、紙押えの形状が速やかに復元される。
【００２０】
凸状ブロックに１箇所以上で横断する方向の溝部が設けられ、凸状ブロックが長手方向で非連続であると、凸状ブロックに生ずる変形歪みは横断溝部にも逃されるので上記の効果は更に強まる
【００２１】
従って、この発明の鋸装置の紙押えによれば、鋸胴と折胴との間隙の調整をすること無しで、常に適正な紙押え機能が長期間にわたって維持でき、紙押えの交換頻度を少なくすることができ、ランニングコストの低減及び機械停止時間の減少による作業性の向上が可能となる。
【発明を実施するための最良の形態】
【００２２】
この発明の実施の形態における輪転機の折機の鋸装置について図面を参照して説明する。
鋸装置１０は、例えば既に説明したような図７に示されている一般的な輪転機の折機５０における鋸胴２０（図６参照）に設けられる。
鋸装置１０は、鋸胴２０の外周面に軸方向に形成された断面コ字形の溝に固定され、それぞれがその溝と実質的に同長の１つの鋸刃１１と、一対の紙押え１２、１２’と、一対のホルダー１３、１３’と、一対の鋸台１４、１４’及び押えブロック１５とで構成されている。
【００２３】
鋸台１４は断面逆Ｌ字形、鋸台１４’は断面Ｌ字形をしており、それぞれＬ字短脚部が対向して、Ｌ字長脚部と共に断面コ字形を形成するようになっている。対向するそれぞれＬ字短脚部には、鋸台１４、１４’の軸方向の適宜の間隔で複数の対応するボルト孔・ねじ孔が貫通しており、鋸台１４と鋸台１４’とは、その各ボルト孔・ねじ孔にねじ込まれたボルト１６により一体的に組み立てられるようになっている。
【００２４】
鋸台１４、１４’のコ字形空間内において、鋸台１４、１４’のＬ字短脚部には、Ｌ字短脚部を貫通するボルト１７、１７’がねじ込まれてそれぞれホルダー１３、１３’が固定され、それぞれのホルダー１３、１３’の上面には紙押え１２、１２’が固定されている。
鋸台１４、１４’は、それぞれのホルダー１３、１３’同士、紙押え１２、１２’同士、Ｌ字短脚部同士で鋸刃１１を挟み込むように各ボルト孔・ねじ孔にねじ込まれたボルト１６により一体的に組み立てられ、鋸装置１０が構成されている。鋸装置１０において、紙押え１２、１２’は鋸台１４、１４’のＬ字長脚部より突出し、鋸刃１１は紙押え１２、１２より突出した状態になっている。
【００２５】
一体的に組み立てられた鋸台１４、１４’のＬ字短脚部の外側面は一平面の底面となり、一方の鋸台１４’のＬ字長脚部の外側面は、鋸台１４、１４’の底面と直角な面であり、他方の鋸台１４のＬ字長脚部の外側面は、底面に向って僅かに広がる傾斜面となっている。
【００２６】
鋸胴２０の外周面に軸方向に形成された断面コ字形の溝に対し一体化された鋸台１４、１４’が底面同士の対向で挿入固定されるのであり、その溝幅は、一体化された鋸台１４、１４’の底面より適宜広く、底面と直角な面である一方の鋸台１４’のＬ字長脚部の外側面が、鋸胴２０の断面コ字形の溝の一側面に当接した状態で、他方の鋸台１４のＬ字長脚部の傾斜外側面と鋸胴２０の断面コ字形の溝の他側面とは、溝底面に向って幅が狭まる断面楔状の溝を形成する。
【００２７】
その断面楔状の溝には、それに対応する断面楔状で鋸台１４、１４’と実質的に同長の押えブロック１５が挿入される。その挿入される押えブロック１５には、長さ方向の適宜の間隔で複数のボルト孔が溝底に向って貫通し、鋸胴２０には、そのボルト孔に対応するねじ孔が形成されている。
【００２８】
押えブロック１５は、ボルト孔に挿入されたボルト１８がねじ孔にねじ込まれることにより、断面楔状の溝内に押し込まれ、その楔作用により、一体化された鋸台１４、１４’は、鋸胴２０の外周面の溝に固定されるのである。
その際、紙押え１２、１２’の刃先側端面部は鋸胴２０の外周面より適宜突出した状態にあり、既に述べたことから理解できるように、鋸刃１１は当然更に突出した状態にある。
【００２９】
紙押え１２は、紙押えの刃先側端面部に長手方向に１条以上の溝６０（図示の例では１条）が形成されており、それに伴い長手方向に２条以上（図示の例では２条）の凸状ブロック７０、７１が形成される。
そして、紙押え１２の四周は裾拡がりの傾斜面に削がれ、横方向の両側面部及び長手方向の両端面部は、夫々切り落とし部分６１、６２及び切り落とし部分６３、６４となっている。
【００３０】
紙押え１２’も紙押え１２と同様に、紙押えの刃先側端面部に長手方向に少なくとも１つの溝６０’が形成されており、それに伴い長手方向に少なくとも２条の凸状ブロック、７０’、７１’が形成される。そして、紙押え１２’の四周も裾拡がりの傾斜面に削がれ、横方向の両側面部及び長手方向の両端面部は、夫々切り落とし部分６１’、６２’及び切り落とし部分６３’、６４’となっている。
【００３１】
尚、凸状ブロック７０、７１には、凸状ブロック７０を横断する溝部６５が１箇所以上（図示の例では３箇所）設けられ、凸状ブロック７０’、７１’にも同様に横断する溝部６５’が設けられ、凸状ブロック７０、７１：７０’、７１’は連続したものでなくてもよい。
また、紙押え１２、１２’は、優れた反発性を有し、耐摩耗性及び耐水性の優れた軟質弾性材、例えばクロロプレンゴムで作成されている。
【００３２】
上記の輪転機における折機５０の鋸装置１０の作用を図１、図２及び図６を参照して説明する。
輪転機が稼動して折機５０の鋸胴２０及び折胴３０が図６の状態を示すと、連続印刷紙Ｗは、連続印刷紙Ｗの先行端から針３１（３１’）が抜け、ほぼ同時に他端が鋸装置１０と鋸刃受３２（３２’）により、次の針３１’（３１）が突き刺さっている位置の近傍の前方を幅方向に鋸刃１１で切断され断裁印刷紙Ｗ１が形成される。
【００３３】
その際、鋸胴２０外周よりも突き出た状態で取り付けられている鋸装置１０の紙押え１２、１２’は、折胴３０と対向する位置で連続印刷紙Ｗを折胴３０に押し付け、その反力で変形され、折胴３０と対向する位置から離れる時は元の状態に復元する。
【００３４】
紙押え１２、１２’の連続印刷紙Ｗを押える力の反力は、紙押え１２、１２’の各凸状ブロック７０、７１、７１’、７０’を加圧し、これに伴って凸状ブロック７０、７１、７１’、７０’に変形歪みが生じる。
【００３５】
鋸胴２０が回転し、凸状ブロック７０、７１、７１’、７０’が順次加圧変形されるが、それぞれの変形歪みは長手方向よりも横方向の方が多く、また、横方向の先行側より後行側の方が多く生じる。
【００３６】
ここで、鋸胴２０の回転に伴い順次生ずる凸状ブロック７０、７１、７１’、７０’の横方向の変形歪みの形態を、紙押えの刃先側端面部の変形歪みを示す図である図３、図４及び図５を参照して説明する。
鋸胴２０及び折胴３０が回転し、回転中、鋸装置１０と鋸刃受３２、３２’との近接状態が逐次図３乃至図５に示す状態になる。
【００３７】
図３に示す鋸装置１０の鋸刃１１の刃先が折胴３０の鋸刃受３２、３２’に接し始めた状態では、凸状ブロック７０、７１にそれぞれの変形歪み８０、８１が生じ、変形歪み８０は、溝６０及び切り落とし部分６１内に、変形歪み８１は、溝６０及び切り落とし部分６２内にそれぞれ速やかに全量逃される。
【００３８】
図４に示す鋸刃１１の刃先方向が折胴中心点（図示しない）に向いている状態では、凸状ブロック７０、７１及び７１’、７０’にそれぞれの変形歪み８０、８１及び８１’、８０’が生じ、変形歪み８０は、溝６０及び切り落とし部分６１内に、変形歪み８１は、溝６０及び切り落とし部分６２内に、変形歪み８１’は、溝６０’及び切り落とし部分６２’内に、変形歪み８０’は、溝６０’及び切り落とし部分６１’内にそれぞれ速やかに逃される。
【００３９】
図５に示す鋸装置１０の鋸刃１１の刃先が折胴３０の鋸刃受３２、３２’から離れ始めた状態では、凸状ブロック７１’、７０’にそれぞれの変形歪み８１’、８０’が存続する。紙押え１２は連続印刷紙Ｗから離れ、紙押え１２に作用する反力が消減して凸状ブロック７０、７１のそれぞれの変形歪み８０、８１が除かれ、紙押え１２の形状がスムーズに復元する。
【００４０】
紙押え１２’が連続印刷紙Ｗから離れて行くと、紙押え１２’に作用する反力が消減し、凸状ブロック７１’、７０’の順にそれぞれの変形歪み８１’、８０’が除かれ、紙押え１２’の形状がスムーズに復元する。
尚、各変形歪み８０、８１、８０’、８１’は、同符号で記述してあるが、回転に従ってその体積は変化する。
【００４１】
つまり、紙押え１２は、刃先側端面部は溝６０を形成することで複数条の小さな凸状ブロック７０、７１に分けられ、それにより凸状ブロック７０、７１毎に細分化して生ずる個々の変形歪みの全量が、横方向では溝６０及び切り落とし部分６１、６２に、長手方向では切り落とし部分６３、６４及び溝部６５に速やかに逃され、また、紙押え１２’は、刃先側端面部は溝６０’を形成することで複数条の小さな凸状ブロック７０’、７１’に分けられ、それにより凸状ブロック７０’、７１’毎に細分化して生ずる個々の変形歪みの全量が、横方向では溝６０’及び切り落とし部分６１’、６２’に、長手方向では切り落とし部分６３’、６４’及び溝部６５’に速やかに逃される。
【００４２】
このことにより、紙押え１２、１２は、加圧方向への大きな変形ストローク、並びに良好な反発性及び復元性を長期間維持し得て、常に適正な紙押え機能が長期間にわたり維持される。
【図面の簡単な説明】
【００４３】
【図１】この発明の実施の形態における輪転機の折機の鋸装置を示す概略図である。
【図２】図１のＡ矢視部分概略図である。
【図３】図１のＢ部拡大図であり、鋸刃の刃先が折胴の鋸刃受に接し始めた状態での紙押えの横方向の刃先側端面部の変形歪みを示す図である。
【図４】図１のＢ部拡大図であり、鋸刃の刃先方向が折胴中心点（図示しない）に向いている状態の紙押えの横方向の刃先側端面部の変形歪みを示す図である。
【図５】図１のＢ部拡大図であり、鋸刃の刃先が折胴の鋸刃受から離れ始めた状態での紙押えの横方向の刃先側端面部の変形歪みを示す図である。
【図６】一般的な折機の胴周辺の構成を示す概略図である。
【図７】輪転機に装備される一般的な折機の構成を示す概略図である。
【符号の説明】
【００４４】
１０  鋸装置
１１  鋸刃
１２、１２’  紙押え
１３、１３’  ホルダー
１４、１４’  鋸台
１５  押えブロック
１６、１７，１７’，１８  ボルト
２０  鋸胴
３０  折胴
３１，３１’  針
３２，３２’  鋸刃受
３３，３３’  折ブレード
４０，４０’  折下ドラッグローラー
５０  折機
６０  紙押え１２の刃先側端面部の溝
６１  紙押え１２の横方向の一側面部の切り落とし部分
６２  紙押え１２の横方向の他側面部の切り落とし部分
６３  紙押え１２の長手方向の一側面部分の切り落とし部分
６４  紙押え１２の長手方向の他側面部分の切り落とし部分
６５  紙押え１２の凸状ブロックを横断した溝部
６０’  紙押え１２’の刃先側端面部の溝
６１’  紙押え１２’の横方向の一側面部の切り落とし部分
６２’  紙押え１２’の横方向の他側面部の切り落とし部分
６３’  紙押え１２’の長手方向の一側面部分の切り落とし部分
６４’  紙押え１２’の長手方向の他側面部分の切り落とし部分
６５’  紙押え１２’の凸状ブロックを横断した溝部
７０、７１  紙押え１２の刃先側端面部の凸状ブロック
７０’、７１’  紙押え１２’の刃先側端面部の凸状ブロック
８０  凸状ブロック７０の変形歪み
８１  凸状ブロック７１の変形歪み
８０’  凸状ブロック７０’の変形歪み
８１’  凸状ブロック７１’の変形歪み
Ｗ  連続印刷紙（折機の鋸胴と折胴間で切断前の連続した印刷紙）
Ｗ１断裁印刷紙（折機の鋸胴と折胴間で切断後の印刷紙）
Ｗ２  折帳（折り畳まれた印刷紙）
ＦＭ  フオーマー
ＤＦ  羽根車装置
ＣＶ  搬送装置
【図１】
2007050970.tif 000003
【図２】
2007050970.tif 000004
【図３】
2007050970.tif 000005
【図４】
2007050970.tif 000006
【図５】
2007050970.tif 000007
【図６】
2007050970.tif 000008
【図７】
2007050970.tif 000009